(57)【要約】      （修正有）【課題】救助者は被救助者の呼気を吸引することはなく新鮮な外気を吸引でき、救助者の呼気が濾過されると共に被救助者の呼気も濾過され、種々の感染を防止することができ、マウスツウマウスで有りながら新鮮な外気を被救助者に送り込める携帯用人工呼吸器を提供する。【解決手段】上側ケーシング段部と、上側ケーシング接続部と、下側ケーシングと、被救助者側開口部と、下側ケーシング段部と、排気穴と、下側ケーシング接続部と、救助者側開口部バクテリアフィルターと、排気穴バクテリアフィルターと、上側ケーシング接続部と下側ケーシング接続部とに外周縁部を挟持された通気用逆止弁とを備え、救助者側開口部には外気用逆止弁を接続し、外気用逆止弁には蛇腹管を接続し、蛇腹管の先端には救助者用のマウスピースを接続し、被救助者側開口部は被救助者用マスクを上方の斜め位置に接続させた。【選択図】なし【特許請求の範囲】
【請求項１】
バクテリアフィルター付き逆止弁は上側ケーシングと、該上側ケーシングの一端に開口させた救助者側開口部と、該救助者側開口部の他端にフランジ状に膨出させた上側ケーシング段部と、該上側ケーシング段部の外周に延設した上側ケーシング接続部と、下側ケーシングと、下側ケーシングの一端に開口させた被救助者側開口部と、該被救助者側開口部の他端にフランジ状に膨出させた下側ケーシング段部と、該下側ケーシング段部に開口させた排気穴と、下側ケーシング段部の外周に延設した下側ケーシング接続部と、前記救助者側開口部を遮蔽するように設けた救助者側開口部バクテリアフィルターと、前記排気穴を遮蔽するように設けた排気穴バクテリアフィルターと、前記上側ケーシングと前記下側ケーシングとを仕切るように前記上側ケーシング接続部と前記下側ケーシング接続部とに外周縁部を挟持された救助者側から被救助者側に空気を送る共に被救助者側の呼気は排気穴から排気する通気用逆止弁とを備え、前記バクテリアフィルター付き逆止弁の救助者側開口部には外気を取り入れる外気用逆止弁を接続し、該外気用逆止弁には伸縮自在な蛇腹管を接続し、該蛇腹管の先端には救助者用のマウスピースを接続し、前記バクテリアフィルター付き逆止弁の被救助者側開口部は被救助者用マスクの上方の斜め位置に接続させたことを特徴とする携帯用人工呼吸器。
【発明の詳細な説明】
【技術分野】
【０００１】
本発明は携帯が可能な携帯用人工呼吸器に関するものであり、更に、詳細には、事故等によって仮死状態や窒息状態に陥った被救助者に応急的にマウスツウマウスの人工呼吸術を施術するための携帯用人工呼吸器に関するものである。
【背景技術】
【０００２】
従来、仮死状態や窒息状態に陥った被救助者に応急的に人工呼吸術を施術する手段は、口と口を接触させたマウスツウマウスで行っていたが、救助者と被救助者が直接口を接触させること等による感染症の問題が提議され敬遠されるように成り、この種の携帯用人工呼吸器が各種開発されており、例えば、救助者側のマウスピースと被救助者側のマスクとの間に筒状の本体を設け、該本体の出口と入口に夫々逆止弁を備えて、救助者の呼気を被救助者に送るもの（特許文献１参照）や、筒状の本体に救助者の呼気を被救助者に送るために逆止弁を設けると共に、被救助者の呼気は雰囲気中の外気に放出できる逆止弁を設けたもの（特許文献２参照）や、手動圧縮時に内部の空気を吐出口から吐出するポンプと、該ポンプの吐出口５に接続され、蘇生処置を受ける患者の口と鼻を覆うマスクとを含む救急蘇生用手動呼吸装置において、前記マスクの患者と接触する部分に、高伸縮性および低反発性のゲル状合成樹脂が設けられたことを特徴とする救急蘇生用手動呼吸装置（特許文献３参照）等が開示されている。
【特許文献１】登録実用新案３０６７０９８号公報
【特許文献２】特開２００２−６５８５５号公報
【特許文献３】特開２００３−３２５６２９号公報
【発明の開示】
【発明が解決しようとする課題】
【０００３】
然し乍ら、救助者が送る呼気は一旦雰囲気中の外気（酸素濃度２１％．炭酸ガス濃度０％）を鼻から肺に吸い込んだものであり、当然酸素濃度が低下して炭酸ガス濃度は上昇しており、救助者の呼気（例えば、酸素濃度１６％．炭酸ガス濃度５％）が注入され更に排出する被救助者の呼気は更に酸素濃度が低下しているものであり、救助者側のマウスピースと被救助者側のマスク等との間に筒状の本体を設け、例えば、先に開示された、該本体の出口と入口に逆止弁を備えたものでは、雰囲気中の新鮮な空気を取り入れることが殆ど無く酸素濃度の低い空気を送り続けるものである。
【０００４】
更に、筒状の本体に救助者の呼気を被救助者に送るために逆止弁を設けると共に、被救助者の呼気は雰囲気中の外気に放出できる逆止弁を設けたものでは、被救助者の呼気は雰囲気中外気に放出できるものの救助者の呼気がそのままデッドスペースに残留しており、前述のものより改善はされているものの酸素濃度が低いものであった。
【０００５】
更には、手動圧縮時に内部の空気を吐出口から吐出するポンプ３と、該ポンプの吐出口５に接続され、蘇生処置を受ける患者の口と鼻を覆うマスク２とを含む救急蘇生用手動呼吸装置において、前記マスク２の患者と接触する部分に、高伸縮性および低反発性のゲル状合成樹脂が設けられたことを特徴とする救急蘇生用手動呼吸装置１では、外部の空気をポンプ３で送るものであり、マウスツウマウスのものとしては使用できないものである。
【課題を解決するための手段】
【０００６】
本発明の携帯用人工呼吸器は、前述の課題に鑑み、鋭意研鑽の結果、バクテリアフィルター付き逆止弁は上側ケーシングと該上側ケーの一端に開口させた救助者側開口部と該救助者側開口部に膨出させた上側ケーシング段部と、上側ケーシング段部に延設した上側ケーシング接続部と、下側ケーシングと、下側ケーシングに開口させた被救助者側開口部と、被救助者側開口部に膨出させた下側ケーシング段部と、下側ケーシング段部に開口させた排気穴と、下側ケーシング段部に延設した下側ケーシング接続部と、救助者側開口部を遮蔽するように設けた救助者側開口部バクテリアフィルターと、排気穴を遮蔽するように設けた排気穴バクテリアフィルターと、上側ケーシングと下側ケーシングとを仕切るように上側ケーシング接続部と下側ケーシング接続部とに外周縁部を挟持された救助者側から被救助者側に空気を送る共に被救助者側の呼気は排気穴から排気する通気用逆止弁とを備え、バクテリアフィルター付き逆止弁の救助者側開口部には外気用逆止弁を接続し、外気用逆止弁には蛇腹管を接続し、蛇腹管の先端には救助者用のマウスピースを接続し、バクテリアフィルター付き逆止弁の被救助者側開口部は被救助者用マスクの上方の斜め位置に接続させたものである。
【発明の効果】
【０００７】
本発明の携帯用人工呼吸器は、上側ケーシング接続部と下側ケーシング接続部との間に介装した通気用逆止弁により、上側ケーシングが加圧になると救助者側開口部と被救助者側開口部が連通状態となり、この状態では通気用逆止弁が上から押された状態となり排気穴は閉鎖されており、上側ケーシングが負圧になると通気用逆止弁により救助者側開口部と被救助者側開口部が閉鎖状態となると共に、救助者側開口部に外気用逆止弁を接続したことにより、外気が外気用逆止弁から流入するものであり、救助者は被救助者の呼気を吸引することはなく新鮮な外気を吸引でき、下側ケーシングが加圧になると救助者側開口部と被救助者側開口部が閉鎖状態となると共に、通気用逆止弁が持ち上がり排気穴が開口状態となり被救助者の呼気は雰囲気中の外気に放出され、更に、救助者側開口部バクテリアフィルターと排気穴バクテリアフィルターとを備えたことにより、救助者の呼気が濾過されると共に被救助者の呼気も濾過され、種々の感染を防止することができ、加えて、湾曲及び伸縮が自在な可撓性部材の合成樹脂等で形成した蛇腹管を備えたことによって、救助者と被救助者との距離及び角度が自在に変えられることから、心臓マッサージ等の他の施術を施しながら人工呼吸術の施術も可能となるもので、更には、蛇腹管の長さを任意に設定することで、一定量の新鮮な雰囲気中の外気で満たし、マウスツウマウスで有りながら新鮮な外気を被救助者に送り込めるものである。
【発明を実施するための最良の形態】
【０００８】
本発明は携帯が可能な携帯用人工呼吸器に関するものであり、更に、詳細には、事故等によって仮死状態や窒息状態に陥った被救助者に応急的にマウスツウマウスの人工呼吸術を施術するための携帯用人工呼吸器に関するものであり、バクテリアフィルター付き逆止弁１は上側ケーシング１ａと、該上側ケーシング２の一端に開口させた救助者側開口部２ａと、該救助者側開口部２ａの他端にフランジ状に膨出させた上側ケーシング段部２ｂと、該上側ケーシング段部２ｂの外周に延設した上側ケーシング接続部２ｃと、下側ケーシング３と、下側ケーシング３の一端に開口させた被救助者側開口部３ａと、該被救助者側開口部３ａの他端にフランジ状に膨出させた下側ケーシング段部３ｂと、該下側ケーシング段部３ｂに開口させた排気穴３ｃと、下側ケーシング段部３ｂの外周に延設した下側ケーシング接続部３ｄと、前記救助者側開口部２ａを遮蔽するように設けた救助者側開口部バクテリアフィルター４と、前記排気穴３ｃを遮蔽するように設けた排気穴バクテリアフィルター５と、前記上側ケーシング２と前記下側ケーシング３とを仕切るように前記上側ケーシング接続部２ｃと前記下側ケーシング接続部３ｄとに外周縁部６ａを挟持された救助者側から被救助者側に空気を送る共に被救助者側の呼気は排気穴３ｃから排気する通気用逆止弁６とを備え、前記バクテリアフィルター付き逆止弁１の救助者側開口部２ａには外気を取り入れる外気用逆止弁７を接続し、該外気用逆止弁７には伸縮自在な蛇腹管８を接続し、該蛇腹管８の先端には救助者用のマウスピース８ａを接続し、前記バクテリアフィルター付き逆止弁１の被救助者側開口部３ａは被救助者用マスク９の上方の斜め位置に接続させたものである。
【実施例】
【０００９】
以下、本発明の携帯用人工呼吸器の実施例の図面を用いて詳細に説明すると、図１は本発明の携帯用人工呼吸器の実施の形態を説明するための概要断面図であり、図２は本発明の携帯用人工呼吸器の実施例の救助者側が加圧状態の要部断面図であり、図３は本発明の携帯用人工呼吸器の実施例の救助者側が負圧状態の要部断面図であり、図４は本発明の携帯用人工呼吸器の実施例の蛇腹管を縮めた状態の側面図である。
【００１０】
即ち、本発明の携帯用人工呼吸器のバクテリアフィルター付き逆止弁１は、上側ケーシング２と下側ケーシング３と救助者側開口部フィルター４と排気穴フィルター５と通気用逆止弁６とから成るものである。
【００１１】
そして、上側ケーシング２は一端に後述する外気用逆止弁６と接続する円筒状に突出させた救助者側開口部２ａを開口させ、他端にはフランジ状に膨出させた上側ケーシング段部２ｂと、更に、上側ケーシング段部２ｂの外周には上側ケーシング接続部２ｃを延設しており、該上側ケーシング接続部２ｃは後述する下側ケーシング接続部３ｄと螺合させるためのネジを螺設しているものである。
【００１２】
次に、下側ケーシング３は一端に後述する被救助者用マスク９と接続する円筒状に突出させた被救助者側開口部３ａを開口させ、他端にはフランジ状に下側ケーシング段部３ｂを膨出させ、下側ケーシング段部３ｂには排気穴３ｃを開口させており、更に、下側ケーシング段部３ｂの外周には下側ケーシング接続部３ｄを延設して前記上側ケーシング接続部２ｃと螺合させるネジを螺設しているものである。
【００１３】
次いで、救助者側開口部バクテリアフィルター４は救助者側開口部２ａを遮蔽するように上側ケーシング段部２ｂに更に段部を設けて取り付けており、下方からは係止部材で係止させており、救助者の呼気を濾過するものである。
【００１４】
更には、排気穴バクテリアフィルター５はドーナツ状に形成されており、排気穴３ｃを遮蔽するよう下側ケーシング段部３ｂに載置されるもので、被救助者の呼気を濾過するものである。
【００１５】
更に、通気用逆止弁６は実施例では中央に谷状に窪むベローズ６ｂを形成し、該ベローズ６ｂの先端は線状に切込開口部６ｃを形成しており、ベローズ６ｂの基部はフランジ状に膨出させた下側ケーシング段部３ｃと接触又は離間を自在とする、つまり、下側ケーシング段部３ｂに開口させている排気穴３ｃを開閉させるフランジ状の通気用逆止弁鍔部６ｄを形成しており、更に、通気用逆止弁鍔部６ｄの外周には下側ケーシング接続部３ｄに沿って短円筒状に環状部６ｅを立ち上げ、更には、上側ケーシング接続部２ｃと下側ケーシング接続部３ｄとの間に挟持される外周縁部６ａを一体に形成した軟質合成樹脂やゴム等で形成された膜状のものである。
【００１６】
そして、通気用逆止弁６は上側ケーシング２と下側ケーシング３とを仕切るように配設され、上側ケーシング２が加圧、つまり、救助者側が呼気を行うと救助者側開口部２ａと被救助者側開口部３ａが連通状態となり、救助者側から被救助者側に空気を送られるものであり、この状態では、通気用逆止弁６の通気用逆止弁鍔部６ｄには上から圧力が加わり排気穴３ｃは閉鎖されているものである。
【００１７】
次いで、上側ケーシング２が負圧になると、つまり、救助者が吸気を行うと通気用逆止弁６により救助者側開口部２ａと被救助者側開口部３ａが閉鎖状態となると共に、救助者側開口部２ａに外気用逆止弁７を接続していることにより、外気が外気用逆止弁７から流入し、救助者は新鮮な外気を吸引するものである。
【００１８】
次に、下側ケーシング３が加圧になる、つまり、被救助者が呼気を行うと救助者側開口部２ａと被救助者側開口部３ａが閉鎖状態となると共に、通気用逆止弁６が下方から上方に持ち上げられ被救助者側の呼気は排気穴３ｃから排気され雰囲気中の外気に放出されるものである。
【００１９】
更に、外気用逆止弁７はバクテリアフィルター付き逆止弁１の救助者側開口部２ａに接続され外気を取り入れるものであり、つまり、救助者が呼気を行う時には閉鎖されており、救助者が吸気を行う時には開口されるもので、救助者は被救助者の呼気を吸引することはなく新鮮な外気を吸引できるものである。
【００２０】
更には、蛇腹管８は可撓性部材の合成樹脂等で伸縮自在に形成され、外気用逆止弁７に接続させているもので、各段の折曲部位は短縮されたときに皿状に積層された状態でコンパクトに保持でき、湾曲及び伸縮が自在なものであり、延伸状態で使用することも、短縮状態で使用することも可能であり、先端には救助者が口に銜えるマウスピース８ａを取着しているものである。
【００２１】
上記の構成により、救助者が吸気を行うと、外気が外気用逆止弁７より蛇腹管８を経由して吸込まれるので、吸気の終わりには、蛇腹管８の中は外気（酸素２１％、炭酸ガス０％）で満たされるものであり、次いで、救助者が被救助者に呼気を吹き込むと、蛇腹管８に満たされている酸素濃度が高く炭酸ガス濃度の低いガスが吹き込まれるものである。
【００２２】
そして、バクテリアフィルター付き逆止弁１の被救助者側開口部３ａは被救助者用マウス９の上方の斜め位置に接続させたものであり、救助者の姿勢が楽になり他の心臓マッサージ等の施術が同時に行うことができ、更には、目線でも的確に被救助者の顔を捕らえること容易とするものである。
【００２３】
つまり、従来使用されているマスクの接続口は、マスクの上方についているため、これを使用するとフランジを持ったバクテリアフィルター付き逆止弁により救助者の視界が妨げられて、救助者がマスクを通して被救助者の口元を目視し、嘔吐の有無を確認したり、あるいは被救助者の呼気によりマスク内面が曇ることにより呼吸していることを確認出来ないものであったが、本発明においては、バクテリアフィルター付き逆止弁１の被救助者側開口部３ａは被救助者用マウス９の上方の斜め位置に接続させているのでバクテリアフィルター付き逆止弁１が救助者の視界を妨げることがないものである。
【００２４】
更に、伸縮自在の蛇腹管８を使用しているため、救助者は自分の顔を被救助者の真上に位置することが可能であるものである。
【産業上の利用可能性】
【００２５】
本発明は携帯が可能な携帯用人工呼吸器であり、事故等によって仮死状態や窒息状態に陥った被救助者に応急的にマウスツウマウスの人工呼吸術を施術するためのものである。
【図面の簡単な説明】
【００２６】
【図１】図１は本発明の携帯用人工呼吸器の実施の形態を説明するための概要断面図である。
【図２】図２は本発明の携帯用人工呼吸器の実施例の救助者側が加圧状態の要部断面図である。
【図３】図３は本発明の携帯用人工呼吸器の実施例の救助者側が負圧状態の要部断面図である。
【図４】図４は本発明の携帯用人工呼吸器の実施例の蛇腹管を縮めた状態の側面図である。
【符号の説明】
【００２７】
１      バクテリアフィルター付き逆止弁
２      上側ケーシング
２ａ    救助者側開口部
２ｂ    上側ケーシング段部
２ｃ    上側ケーシング接続部
３      下側ケーシング
３ａ    被救助者側開口部
３ｂ    下側ケーシング段部
３ｃ    排気穴
３ｄ    下側ケーシング接続部
４      救助者側開口部バクテリアフィルター
５      排気穴バクテリアフィルター
６      通気用逆止弁
６ａ    外周縁部
６ｂ    ベローズ
６ｃ    切込開口部
６ｄ    通気用逆止弁鍔部
６ｅ    短円筒状に環状部
７      外気用逆止弁
８      蛇腹管
８ａ    マウスピース
９      被救助者用マスク
【図１】
2005318975.tif 000002
【図２】
2005318975.tif 000003
【図３】
2005318975.tif 000004
【図４】
2005318975.tif 000005